(57)【要約】【課題】リテーナ本体からのシムの脱落を抑制する。【解決手段】リテーナ本体１２は一対の第１壁部１３，１４及び一対の第２壁部１５，１６を備える。一対の第１シム３１，３２は、各第１壁部１３，１４に隣接した状態で配置され、一対の第２シム３３，３４は、各第２壁部１５，１６に隣接した状態で配置される。下流フィン５１，５２は両第１シム３１，３２に傾動可能に支持され、上流フィン５６，５７は下流フィン５１，５２よりも上流で両第２シム３３，３４に傾動可能に支持される。両第１シム３１，３２及び両第２シム３３，３４が四角枠体３５をなすように配置され、四角枠体３５の４つの角部Ｃ１〜Ｃ４の各々には、隣り合う第１シム３１，３２及び第２シム３３，３４の端部同士を連結する連結構造が設けられる。四角枠体３５における各シムの外面に設けられた係止部が、リテーナ本体１２のうち上記外面に隣接する壁部に設けられた被係止部に係止される。【選択図】図１
2019014333.tif 000002
【特許請求の範囲】
【請求項１】
空調用空気の通風路を有するリテーナの主要部を構成し、かつ前記通風路を取り囲む４つの壁部として、相対向する一対の第１壁部、及び相対向する一対の第２壁部を備えるリテーナ本体と、
前記通風路に面し、かつ各第１壁部に隣接した状態で配置される一対の第１シムと、
前記通風路に面し、かつ各第２壁部に隣接した状態で配置される一対の第２シムと、
両第１シムの対向する方向へ延び、かつ両端のフィン軸により両第１シムに傾動可能に支持される下流フィンと、
前記空調用空気の流れ方向における前記下流フィンよりも上流で両第２シムの対向する方向へ延び、かつ両端のフィン軸により両第２シムに傾動可能に支持される上流フィンと
を備える空調用レジスタであって、
両第１シム及び両第２シムが四角枠体をなすように配置され、前記四角枠体の少なくとも３つの角部の各々には、隣り合う前記第１シム及び前記第２シムの端部同士を連結する連結構造が設けられ、前記四角枠体における両第１シムの外面及び両第２シムの外面のうち少なくとも一方に設けられた係止部が、両第１壁部及び両第２壁部のうち前記外面に隣接する壁部に設けられた被係止部に係止される空調用レジスタ。
【請求項２】
前記連結構造は、隣り合う前記第１シム及び前記第２シムの端部同士を、前記第１シム及び前記第２シムの各長さ方向と前記流れ方向とへ撓むのを規制した状態で連結する主連結構造を備える請求項１に記載の空調用レジスタ。
【請求項３】
前記主連結構造により、前記第１シムにおいて前記第２シムに連結される端部と、前記第２シムにおいて前記第１シムに連結される端部との一方を連結側端部とし、他方を被連結側端部とするとともに、前記第１シム及び前記第２シムのうち、前記連結側端部を有するものを連結側シムとし、前記被連結側端部を有するものを被連結側シムとした場合において、
前記主連結構造は、前記連結側端部に設けられた連結部と、前記被連結側端部に設けられた被連結部とを備え、
前記連結部は、前記連結側端部から前記連結側シムの長さ方向へ延びる延出部と、前記連結側端部に対し離間した状態で前記延出部の先端から前記流れ方向に延びる腕部と、前記腕部から前記連結側端部に向けて突出する爪部とを備え、
前記被連結部は、前記被連結側端部から前記被連結側シムの長さ方向へ突出する突出部と、前記突出部の前記爪部に対向する面において開口し、かつ前記腕部及び前記連結側端部の間に前記突出部が入り込んだ状態で前記爪部が係合される被係合部とを備える請求項２に記載の空調用レジスタ。
【請求項４】
前記主連結構造は、前記四角枠体における３つの角部に設けられ、
前記主連結構造の設けられていない１つの角部には、隣り合う前記第１シム及び前記第２シムの端部同士を、前記第１シム及び前記第２シムの各長さ方向へ撓むのを規制した状態で連結する補助連結構造が設けられており、
前記主連結構造及び前記補助連結構造により前記連結構造が構成されている請求項２又は３に記載の空調用レジスタ。
【請求項５】
前記補助連結構造は、
前記第１シムにおいて前記第２シムに連結される端部と、前記第２シムにおいて前記第１シムに連結される端部との一方の端部から他方の端部に向けて延びて、同他方の端部に対し、前記流れ方向における上流又は下流において重なる突片と、
前記他方の端部に設けられ、かつ前記突片に設けられた被嵌合部に対し、前記流れ方向における上流側又は下流側から嵌合される嵌合部と
を備える請求項４に記載の空調用レジスタ。
【発明の詳細な説明】
【技術分野】
【０００１】
本発明は、空調装置から送られてきて室内に吹出す空調用空気の向きをフィンにより変更等する空調用レジスタに関する。
【背景技術】
【０００２】
車両のインストルメントパネル等には、空調装置から送られてきた空調用空気を吹出す空調用レジスタが組込まれている（例えば、特許文献１参照）。この空調用レジスタは、図２０に示すように、空調用空気の通風路１３１を有するリテーナ１３２を備えている。リテーナ１３２は、筒状のリテーナ本体１３３と、空調用空気の流れ方向における通風路１３１の下流端に配置されたベゼル等の加飾パネル１４１とを備えている。
【０００３】
リテーナ本体１３３の左右の壁部１３４の通風路１３１側の面には、凹部からなる被係止部１３５が設けられている。リテーナ本体１３３内には、それぞれ左右方向に延びる複数のフィン１３６が互いに上下方向に離間した状態で配置されている。各フィン１３６の左右方向における両端部にはフィン軸１３７が設けられている。上記複数のフィン１３６は、それらの左右両側に配置された一対のシム１３８を介して、両壁部１３４に対し傾動可能に支持されている。両シム１３８は、リテーナ１３２よりも軟質の材料によって形成されている。各シム１３８の通風路１３１とは反対側の面には、突起からなる係止部１３９が設けられている。そして、係止部１３９が上記被係止部１３５に係止されることにより、フィン１３６を挟み込んだ状態の左右一対のシム１３８がリテーナ本体１３３に組付けられている。
【０００４】
加飾パネル１４１は、リテーナ本体１３３に対し、上記流れ方向における下流側から爪嵌合等により組付けられている。加飾パネル１４１は、空調用空気の吹出口１４２を有している。また、加飾パネル１４１の上記流れ方向における下流端面１４３は、空調用レジスタの意匠面の一部を構成している。
【０００５】
上記空調用レジスタによれば、空調用空気は、フィン１３６に沿って流れた後に吹出口１４２から吹出される。そのため、フィン１３６を傾動させることにより、吹出口１４２から吹出す空調用空気の向きを変更することができる。
【０００６】
また、各フィン１３６を傾動させる際には、シム１３８から各フィン軸１３７に摺動抵抗が付与される。そのため、フィン１３６を傾動させる際の荷重が適切な大きさに調整される。また、フィン１３６が左右方向へ動いた場合にシム１３８に当たることで、壁部１３４に直接当たる場合よりも、打音の発生を抑制することができる。
【先行技術文献】
【特許文献】
【０００７】
【特許文献１】特許第３９９９１５３号公報
【発明の概要】
【発明が解決しようとする課題】
【０００８】
ところで、上記従来の空調用レジスタは、２箇所の製造拠点（第１の製造拠点及び第２の製造拠点）で製造されることがある。第１の製造拠点では、加飾パネル１４１をリテーナ本体１３３に組付ける前の形態の製品（中間製品）が製造される。第２の製造拠点では、上記中間製品のリテーナ本体１３３に加飾パネル１４１が組付けられる。
【０００９】
この場合、第１の製造拠点から第２の製造拠点に中間製品を搬送することになるが、その中間製品を積み降ろす際の衝撃等によって、シム１３８が撓み、係止部１３９が被係止部１３５から外れ、両シム１３８がフィン１３６を伴ってリテーナ本体１３３から脱落するおそれがある。
【００１０】
本発明は、このような実情に鑑みてなされたものであって、その目的は、リテーナ本体からのシムの脱落を抑制することのできる空調用レジスタを提供することにある。
【課題を解決するための手段】
【００１１】
上記課題を解決する空調用レジスタは、空調用空気の通風路を有するリテーナの主要部を構成し、かつ前記通風路を取り囲む４つの壁部として、相対向する一対の第１壁部、及び相対向する一対の第２壁部を備えるリテーナ本体と、前記通風路に面し、かつ各第１壁部に隣接した状態で配置される一対の第１シムと、前記通風路に面し、かつ各第２壁部に隣接した状態で配置される一対の第２シムと、両第１シムの対向する方向へ延び、かつ両端のフィン軸により両第１シムに傾動可能に支持される下流フィンと、前記空調用空気の流れ方向における前記下流フィンよりも上流で両第２シムの対向する方向へ延び、かつ両端のフィン軸により両第２シムに傾動可能に支持される上流フィンとを備える空調用レジスタであって、両第１シム及び両第２シムが四角枠体をなすように配置され、前記四角枠体の少なくとも３つの角部の各々には、隣り合う前記第１シム及び前記第２シムの端部同士を連結する連結構造が設けられ、前記四角枠体における両第１シムの外面及び両第２シムの外面のうち少なくとも一方に設けられた係止部が、両第１壁部及び両第２壁部のうち前記外面に隣接する壁部に設けられた被係止部に係止される。
【００１２】
上記の構成によれば、四角枠体は、４つの角部を有するところ、そのうちの少なくとも３つの角部にそれぞれ設けられた連結構造によって、隣り合う第１シム及び第２シムの端部同士が連結される。これらの連結により、四角枠体は初期の形状を維持しやすい。そして、四角枠体における両第１シムの外面及び両第２シムの外面のうち少なくとも一方に設けられた係止部が、両第１壁部及び両第２壁部のうち上記外面に隣接する壁部に設けられた被係止部に係止される。この係止により、上流フィン及び下流フィンの支持された四角枠体がリテーナ本体内に組付けられる。この際、四角枠体が初期の形状を維持しやすいため、上流フィン及び下流フィンが支持された四角枠体をリテーナ本体内に組付ける作業がしやすい。
【００１３】
四角枠体がリテーナ本体内に組付けられた状態では、各第１シムの通風路から遠ざかる側には、第１壁部が隣接して位置している。四角枠体は、第１壁部に当接することにより、それ以上通風路から遠ざかる側へ撓むことを規制される。
【００１４】
また、上記の状態では、各第２シムの通風路から遠ざかる側には、第２壁部が隣接して位置している。四角枠体は、第２壁部に当接することにより、それ以上通風路から遠ざかる側へ撓むことを規制される。
【００１５】
また、四角枠体のうち連結構造の設けられた角部では、隣り合う第１シム及び第２シムの端部同士が連結されている。そのため、隣り合う第１シムの端部及び第２シムの端部の一方又は双方は、他方の端部に近づく側へ撓むことを規制される。これに伴い、各第１シムの長さ方向における中間部分が通風路側へ撓んだり、各第２シムの長さ方向における中間部分が通風路側へ撓んだりすることを規制される。
【００１６】
さらに、四角枠体のうち連結構造の設けられていない角部があったとしても、隣り合う第１シムの端部及び第２シムの端部の一方又は双方は、他方の端部に近づく側へ撓むことを規制される。これは、第１シムにおいて、一方の端部が連結構造によって連結されていなくても、他方の端部が連結構造によって第２シムに連結されているからである。また、第２シムにおいて、一方の端部が連結構造によって連結されていなくても、他方の端部が連結構造によって第１シムに連結されているからである。
【００１７】
このように、四角枠体では、一対の第１シム及び一対の第２シムのいずれもが撓みにくく、四角枠体の初期の形状が維持されやすい。四角枠体の係止部がリテーナ本体の被係止部に係止された状態は、維持されやすい。その結果、リテーナ本体内に組付けられた四角枠体が、そのリテーナ本体から脱落することが規制される。
【００１８】
上記空調用レジスタにおいて、前記連結構造は、隣り合う前記第１シム及び前記第２シムの端部同士を、前記第１シム及び前記第２シムの各長さ方向と前記流れ方向とへ撓むのを規制した状態で連結する主連結構造を備えることが好ましい。
【００１９】
上記の構成によれば、互いに隣り合い、かつ端部同士を主連結構造により連結された両第１シム及び両第２シムは、それらの長さ方向にも、空調用空気の流れ方向にも撓むことを規制される。この規制により、互いに隣り合い、かつ主連結構造によって連結された第１シム及び第２シムは、いずれの方向にも分離することを規制される。
【００２０】
上記空調用レジスタにおいて、前記主連結構造により、前記第１シムにおいて前記第２シムに連結される端部と、前記第２シムにおいて前記第１シムに連結される端部との一方を連結側端部とし、他方を被連結側端部とするとともに、前記第１シム及び前記第２シムのうち、前記連結側端部を有するものを連結側シムとし、前記被連結側端部を有するものを被連結側シムとした場合において、前記主連結構造は、前記連結側端部に設けられた連結部と、前記被連結側端部に設けられた被連結部とを備え、前記連結部は、前記連結側端部から前記連結側シムの長さ方向へ延びる延出部と、前記連結側端部に対し離間した状態で前記延出部の先端から前記流れ方向に延びる腕部と、前記腕部から前記連結側端部に向けて突出する爪部とを備え、前記被連結部は、前記被連結側端部から前記被連結側シムの長さ方向へ突出する突出部と、前記突出部の前記爪部に対向する面において開口し、かつ前記腕部及び前記連結側端部の間に前記突出部が入り込んだ状態で前記爪部が係合される被係合部とを備えることが好ましい。
【００２１】
上記の構成によれば、四角枠体において主連結構造の設けられた角部では、連結部の腕部が延出部を介して連結側端部に繋がっている。腕部は延出部の先端から空調用空気の流れ方向へ延びている。腕部は、延出部の長さの分、連結側端部から離間している。
【００２２】
そして、被連結部における突出部は、連結部における腕部と連結側端部との間に入り込ませられることで、腕部と連結側端部とによって、連結側シムの長さ方向における両側から挟み込まれる。この挟み込みにより、互いに隣り合う端部間に主連結構造の設けられた第１シム及び第２シムの一方は他方に対し、連結側シムの長さ方向へ撓むことを規制される。
【００２３】
さらに、上記腕部から連結側端部に向けて突出する爪部が、突出部の爪部に対向する面において開口する被係合部に係合される。この係合により、互いに隣り合う端部間に主連結構造の設けられた第１シム及び第２シムの一方は他方に対し、被連結側シムの長さ方向へも空調用空気の流れ方向へも撓むことを規制される。
【００２４】
上記空調用レジスタにおいて、前記主連結構造は、前記四角枠体における３つの角部に設けられ、前記主連結構造の設けられていない１つの角部には、隣り合う前記第１シム及び前記第２シムの端部同士を、前記第１シム及び前記第２シムの各長さ方向へ撓むのを規制した状態で連結する補助連結構造が設けられており、前記主連結構造及び前記補助連結構造により前記連結構造が構成されていることが好ましい。
【００２５】
上記の構成によれば、四角枠体において補助連結構造の設けられた角部では、互いに隣り合い、かつ端部同士を補助連結構造により連結された第１シム及び第２シムの一方が他方に対し、第１シム及び第２シムの各長さ方向へ撓むことを規制される。
【００２６】
従って、主連結構造が、四角枠体における３つの角部にのみ設けられ、１つの角部に補助連結構造が設けられない場合に比べ、両第１シム及び両第２シムの撓みがより規制される。四角枠体が初期の形状に維持されやすく、係止部が被係止部に係止した状態に維持されやすい。リテーナ本体内に組付けられた四角枠体がそのリテーナ本体から脱落することがより一層規制される。
【００２７】
上記空調用レジスタにおいて、前記補助連結構造は、前記第１シムにおいて前記第２シムに連結される端部と、前記第２シムにおいて前記第１シムに連結される端部との一方の端部から他方の端部に向けて延びて、同他方の端部に対し、前記流れ方向における上流又は下流において重なる突片と、前記他方の端部に設けられ、かつ前記突片に設けられた被嵌合部に対し、前記流れ方向における上流側又は下流側から嵌合される嵌合部とを備えることが好ましい。
【００２８】
上記の構成によれば、四角枠体において補助連結構造の設けられた角部では、隣り合う第１シム及び第２シムの一方の端部から他方の端部に向けて延びる突片が、上記他方の端部に対し、空調用空気の流れ方向における上流又は下流において重なる。
【００２９】
そして、上記他方の端部に設けられた嵌合部が、上記突片に設けられた被嵌合部に対し、上記流れ方向における上流側又は下流側から嵌合される。この嵌合により、互いに隣り合う端部間に補助連結構造の設けられた第１シム及び第２シムの一方は、他方に対し、それらの長さ方向へ撓むことを規制される。
【発明の効果】
【００３０】
上記空調用レジスタによれば、リテーナ本体からのシムの脱落を抑制することができる。
【図面の簡単な説明】
【００３１】
【図１】一実施形態において加飾パネルが組付けられる前の空調用レジスタの正面図。
【図２】図１の空調用レジスタの側面図。
【図３】図１の空調用レジスタの平面図。
【図４】図１の４−４線に沿った断面図。
【図５】図１の５−５線に沿った部分断面図。
【図６】図１の６−６線に沿った部分断面図。
【図７】図２の７−７線に沿った部分断面図。
【図８】一実施形態における空調用レジスタの一部の構成部材を示す斜視図。
【図９】一実施形態における空調用レジスタの一部の構成部材を示す斜視図。
【図１０】一実施形態における空調用レジスタの一部の構成部材を示す斜視図。
【図１１】一実施形態における両第１シム及び両第２シムを示す斜視図。
【図１２】一実施形態における左側の第１シムと上側の第２シムとが主連結構造により連結される前の状態を示す部分斜視図。
【図１３】一実施形態における右側の第１シムと上側の第２シムとが主連結構造により連結される前の状態を示す部分斜視図。
【図１４】一実施形態における左側の第１シムと下側の第２シムとが補助連結構造により連結される前の状態を示す部分斜視図。
【図１５】一実施形態における右側の第１シムと下側の第２シムとが主連結構造により連結される前の状態を示す部分斜視図。
【図１６】図１５の第１シムと第２シムとが主連結構造により連結された状態を示す部分斜視図。
【図１７】一実施形態における左側の第１シムの斜視図。
【図１８】図８の１８−１８線に沿った断面図。
【図１９】図１の１９−１９線に沿った断面図。
【図２０】従来の空調用レジスタの構成部材を示す斜視図。
【発明を実施するための形態】
【００３２】
以下、車両用の空調用レジスタに具体化した一実施形態について、図１〜図１９を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３３】
車室内において、車両の前席（運転席及び助手席）の前方にはインストルメントパネルが設けられている。インストルメントパネルの車幅方向における中央部には、図１に示す一対の空調用レジスタ１０が、同方向に並べられた状態で組込まれている。なお、図１では、空調用レジスタ１０は加飾パネル２５が組付けられる前の状態で図示されている。
【００３４】
各空調用レジスタ１０の主な機能は、空調装置から送られてきて車室内に吹出す空調用空気Ａ１（図２、図３等参照）の向きを調整すること、同空調用空気Ａ１の吹出し量を調整すること等である。吹出し量の調整には、吹出しを遮断することが含まれる。
【００３５】
両空調用レジスタ１０は、線対称の関係となる構成を有している。そのため、左方の空調用レジスタ１０について説明し、右方の空調用レジスタ１０については説明を省略する。
【００３６】
図３〜図５に示すように、空調用レジスタ１０は、リテーナ１１、風向き変更モジュール３０、シャットダンパ１１０及びダンパ駆動機構１１４を備えている。次に、空調用レジスタ１０の上記構成要素について説明する。
【００３７】
＜リテーナ１１＞
リテーナ１１は、空調装置の送風ダクト（図示略）と、インストルメントパネルに設けられた開口（図示略）とを繋ぐためのものである。リテーナ１１の内部空間は、空調用空気Ａ１の流路（以下「通風路２０」という）を構成している。ここで、空調用空気Ａ１の流れ方向に関し、空調装置に近い側を「上流」、「上流側」等といい、同空調装置から遠い側を「下流」、「下流側」等というものとする。
【００３８】
リテーナ１１は、リテーナ本体１２及び加飾パネル２５を備えている。リテーナ本体１２は、リテーナ１１の主要部を構成するものであり、上流端と下流端とが開放された筒状をなしている。リテーナ本体１２の下流部は略水平方向に延びている。これに対し、リテーナ本体１２の上流部は、上流側ほど低くなるように傾斜している。
【００３９】
リテーナ本体１２の上記通風路２０は、４つの壁部によって取り囲まれている。これらの４つの壁部は、左右方向に相対向する一対の第１壁部１３，１４と、上下方向に相対向する一対の第２壁部１５，１６とからなる。
【００４０】
ここで、各第１壁部１３，１４及び各第２壁部１５，１６における通風路２０側の面を「内面」とし、通風路２０とは反対側の面を「外面」とする。
図１０に示すように、左側の第１壁部１３の下流部であって、互いに上下方向に離間した複数箇所（２箇所）には、同第１壁部１３の内面及び下流端面において開口する凹部からなる被係止部１７が形成されている。右側の第１壁部１４の下流部であって、互いに上下方向に離間した複数箇所（２箇所）には、同第１壁部１４を左右方向に貫通する孔からなる被係止部１８が形成されている。各第１壁部１３，１４の下流端面であって、上下方向における中央部分には、下流側へ向けて突出する係合突起１９が形成されている。各第１壁部１３，１４の上流部には、それぞれ軸孔２１が左右方向へ貫通されている。右側の第１壁部１４の外面であって、上記被係止部１８の上流近傍には、右方へ向けて軸部２２が突設されている。
【００４１】
各第２壁部１５，１６の下流部であって、互いに左右方向に離間した複数箇所（２箇所）には、被係止部２３が形成されている（図３参照）。各被係止部２３は、平面視でＵ字状をなす切込みが入れられることにより形成され、かつ上下方向に貫通する孔を有する弾性片によって構成されている。各第２壁部１５，１６の下流端面であって、左右方向における中間部分には、下流側へ向けて突出する係合突起２４が形成されている。
【００４２】
図４〜図６に示すように、加飾パネル２５は、その複数箇所に設けられた係止孔（図示略）において、リテーナ本体１２の対応する箇所に設けられた係止突起２７（図３、図１０参照）に係止されることにより、同リテーナ本体１２に組付けられている。加飾パネル２５において、通風路２０の下流端となる箇所には、空調用空気Ａ１が吹出される吹出口２８が形成されている。加飾パネル２５の下流端面であって、吹出口２８の周りの部分は、空調用レジスタ１０の意匠面を構成している。
【００４３】
＜風向き変更モジュール３０＞
風向き変更モジュール３０は、複数のシム、複数のフィン、操作ノブ６５及びフォーク６８を備えている。
【００４４】
図１及び図１１に示すように、複数のシムは、一対の第１シム３１，３２と、一対の第２シム３３，３４とからなる。両第１シム３１，３２及び両第２シム３３，３４は、リテーナ１１よりも軟質の材料によって形成されており、四角枠体３５をなすように配置されている。
【００４５】
ここで、各第１シム３１，３２及び各第２シム３３，３４における通風路２０側の面を「内面」とし、通風路２０とは反対側の面を「外面」とする。
両第１シム３１，３２は、上記流れ方向よりも上下方向の寸法の大きな縦長の板状をなしている。両第１シム３１，３２は、通風路２０に面し、かつ各第１壁部１３，１４に隣接した状態で配置されている。各第１シム３１，３２の下流部であって、上下方向に互いに離間した箇所には、軸孔３６が左右方向に貫通されている。図１１及び図１７に示すように、各第１シム３１，３２の外面であって、互いに上下方向に離間した複数箇所には、突起からなる係止部３７が形成されている。各第１シム３１，３２の外面の下流端部であって、上下方向における略中央部分には突部３８が設けられ、ここに係合孔３９が上記流れ方向に貫通されている。さらに、左側の第１シム３１において軸孔３６よりも上流側には、円弧状のガイド孔４１が、左右方向に貫通されている。
【００４６】
図１及び図１１に示すように、上側の第２シム３３は、略矩形の板状をなしている。下側の第２シム３４は、上記流れ方向よりも左右方向の寸法の大きな横長の板状をなしている。両第２シム３３，３４は、通風路２０に面し、かつ各第２壁部１５，１６に隣接した状態で配置されている。上側の第２シム３３の上流部であって、互いに左右方向に離間した複数箇所には、軸孔４２が上下方向に貫通されている。下側の第２シム３４の互いに左右方向に離間した複数箇所にも、上記と同様に、軸孔４２が上下方向に貫通されている。上側の第２シム３３の外面であって、互いに左右方向に離間した複数箇所には、上方へ向けて突出する突起からなる係止部４３が形成されている。下側の第２シム３４の外面であって、互いに左右方向に離間した複数箇所には、下方へ向けて突出する突起からなる係止部４４が形成されている（図１８参照）。各第２シム３３，３４の外面の下流端部であって、左右方向における中間部分には突部４５が設けられ、ここに係合孔４６が上記流れ方向に貫通されている。
【００４７】
図１、図８及び図９に示すように、複数のフィンは、複数（４つ）の下流フィン５１，５２と、その上流側に配置された複数（３つ）の上流フィン５６，５７とを備えている。
各下流フィン５１，５２は、吹出口２８から吹出す空調用空気Ａ１の上下方向における向きを変更するためのものであり、左右方向及び流れ方向に延びる板状をなしている。複数の下流フィン５１，５２は、上下方向には略等間隔で互いに略平行に離間した状態で配置されている。各下流フィン５１，５２の左右方向の両端部には、フィン軸５３がそれぞれ設けられている。そして、各フィン軸５３が、対応する軸孔３６に係入されることにより、各下流フィン５１，５２が、両第１シム３１，３２に対し傾動可能に支持されている。
【００４８】
各下流フィン５１，５２の左端部において、上記フィン軸５３よりも上流へ偏倚した箇所には、同フィン軸５３に平行に延びる連結ピン５４が設けられている。下流フィン５１，５２毎の連結ピン５４は、略上下方向へ延びる長尺板状の縦連結ロッド５５によって連結されている。上記連結ピン５４及び縦連結ロッド５５により、全ての下流フィン５１，５２を機械的に連結し、下流フィン５２が下流フィン５１と同じ傾向の傾きとなるように同期した状態で傾動させるリンク機構ＬＭ１が構成されている。
【００４９】
図５及び図６に示すように、特定の下流フィン５１における連結ピン５４は、他の下流フィン５２における連結ピン５４よりも長く形成されており、左側の第１シム３１におけるガイド孔４１に係入されている。この連結ピン５４が、ガイド孔４１内でのみ移動することを許容されることで、下流フィン５１が所定の傾動範囲で傾動可能である。
【００５０】
図１及び図８に示すように、各上流フィン５６，５７は、吹出口２８から吹出す空調用空気Ａ１の左右方向における向きを変更するためのものであり、上下方向及び流れ方向に延びる板状をなしている。複数の上流フィン５６，５７は、左右方向には略等間隔で互いに略平行に離間した状態で配置されている。各上流フィン５６，５７の上下方向の両端部には、フィン軸５８がそれぞれ設けられている。そして、各フィン軸５８が、対応する軸孔４２に係入されることにより、各上流フィン５６，５７が、両第２シム３３，３４に対し傾動可能に支持されている。
【００５１】
図４及び図８に示すように、左右方向における中央部分の上流フィン５６は、他の上流フィン５７とは異なり、切欠き部５９及び伝達軸部６１を備えている。切欠き部５９は、上流フィン５６の下流部に形成されている。伝達軸部６１は、切欠き部５９の下流端において上下方向へ延びている。
【００５２】
各上流フィン５６，５７の上端部において、上記フィン軸５８よりも上流へ偏倚した箇所には、同フィン軸５８に平行に延びる連結ピン６２が設けられている。上流フィン５６，５７毎の連結ピン６２は、略左右方向へ延びる長尺板状の横連結ロッド６３によって連結されている。上記連結ピン６２及び横連結ロッド６３により、全ての上流フィン５６，５７を機械的に連結し、上流フィン５７が上流フィン５６と同じ傾向の傾きとなるように同期した状態で傾動させるリンク機構ＬＭ２が構成されている。
【００５３】
図１及び図２に示す操作ノブ６５は、吹出口２８からの空調用空気Ａ１の吹出し方向を変更する際に乗員によって操作される部材である。図５及び図９に示すように、操作ノブ６５は、その主要部を構成するノブ本体６６と、ノブ本体６６に対し下流側から装着されるノブカバー６７と、シム７３とを備えている。操作ノブ６５は、下流フィン５１に対し左右方向へスライド可能に装着されている。操作ノブ６５は、下流フィン５１と一緒に、フィン軸５３を支点として傾動可能であり、また、下流フィン５１上をスライドすることで、左右方向へ変位可能である。シム７３は、ノブ本体６６に装着されており、下流フィン５１に弾性的に接触されている。この形態の接触により、操作ノブ６５がスライドされたときにシム７３と下流フィン５１との間に摺動抵抗が発生し、適度な荷重が付与される。
【００５４】
フォーク６８は、操作ノブ６５のスライド動作を上流フィン５６に伝達して、両フィン軸５８を支点として同上流フィン５６を傾動させるための部材である。フォーク６８の下流端には一対の支軸６９が設けられており、これらの支軸６９が、ノブ本体６６の上流端に設けられた支持孔７１に挿入されている。フォーク６８は、両支軸６９を支点として傾動可能である。フォーク６８は、上流へ延びる一対の伝達片７２を自身の上流部に備えており、両伝達片７２によって上記上流フィン５６の伝達軸部６１を左右両側から挟み込んでいる。そのため、操作ノブ６５が下流フィン５１に沿って左右方向へスライドされると、伝達軸部６１がフォーク６８の一方の伝達片７２によって押され、上流フィン５６が両フィン軸５８を支点として傾動させられる。これに対し、下流フィン５１の厚み方向（上下方向）へ向かう力が操作ノブ６５に加えられても、その力は伝達軸部６１に伝達されず、上流フィン５６は傾動されない。
【００５５】
図１及び図１１に示すように、上記風向き変更モジュール３０における四角枠体３５は、４つの角部Ｃ１〜Ｃ４を有している。これらの角部Ｃ１〜Ｃ４のうちの少なくとも３つの角部（本実施形態では４つの角部Ｃ１〜Ｃ４）の各々には、隣り合う第１シム３１，３２及び第２シム３３，３４の端部同士を連結する連結構造が設けられている。連結構造は、３つの角部Ｃ１，Ｃ２，Ｃ４に設けられた主連結構造７５，８５，９５と、１つの角部Ｃ３に設けられた補助連結構造１０５とからなる。
【００５６】
各主連結構造７５，８５，９５は、隣り合う第１シム３１，３２及び第２シム３３，３４の端部同士を、分離を規制した状態で連結するものである。ここで、「分離を規制した状態で連結する」とは、両第１シム３１，３２及び両第２シム３３，３４が、それらの長さ方向へ撓むのを規制した状態で連結するとともに、空調用空気Ａ１の流れ方向へ撓むのを規制した状態で連結することをいう。
【００５７】
次に、左上の角部Ｃ１に設けられた主連結構造７５について説明する。図１１、図１２及び図１７に示すように、左上の角部Ｃ１では、左側の第１シム３１の上端部と、上側の第２シム３３の左端部とが主連結構造７５による連結の対象とされる。
【００５８】
上側の第２シム３３は連結側シムとされている。第２シム３３の左端部は連結側端部３３Ｌとされ、ここに連結部７６が設けられている。連結部７６は、延出部７７、腕部７８及び爪部７９を備えている。延出部７７は、連結側端部３３Ｌであって、下流端面から若干上流側へ離間した箇所から左方へ延びている。腕部７８は、連結側端部３３Ｌに対し左方へ離間した状態で、延出部７７の先端から下流側へ延びている。爪部７９は、腕部７８の下流端から、連結側端部３３Ｌに向けて突出している。爪部７９の下流端面７９Ａは、連結側端部３３Ｌに近づくに従い上流側に位置するように、上記流れ方向に対し傾斜している。
【００５９】
左側の第１シム３１は被連結側シムとされている。第１シム３１の上端部は被連結側端部３１Ｔとされ、ここに被連結部８１が設けられている。被連結部８１は、突出部８２及び被係合部８３を備えている。突出部９２は、被連結側端部３１Ｔから上方へ突出している。被係合部８３は、突出部８２の爪部７９に対向する面である左側の面において開口する凹部によって構成されている。
【００６０】
そして、上記突出部８２が、腕部７８と連結側端部３３Ｌとの間隙に対し、下流側から嵌合により入り込ませられている。この嵌合の際、下流端面７９Ａは突出部８２を上記間隙に導く。さらに、爪部７９が被係合部８３内に左方から入り込むことにより、爪部７９が被係合部８３に係合されている。
【００６１】
次に、右上の角部Ｃ２に設けられた主連結構造８５について説明する。図１１及び図１３に示すように、右上の角部Ｃ２では、右側の第１シム３２の上端部と、上側の第２シム３３の右端部とが主連結構造８５による連結の対象とされる。
【００６２】
上側の第２シム３３は連結側シムとされている。第２シム３３の右端部は連結側端部３３Ｒとされ、ここに連結部８６が設けられている。連結部８６は、延出部８７、腕部８８及び爪部８９を備えている。延出部８７は、連結側端部３３Ｒであって、下流端面から若干上流側へ離間した箇所から右方へ延びている。腕部８８は、連結側端部３３Ｒに対し右方へ離間した状態で、延出部８７の先端から下流側へ延びている。爪部８９は、腕部８８の下流端から、連結側端部３３Ｒに向けて突出している。爪部８９の下流端面８９Ａは、連結側端部３３Ｒに近づくに従い、上流側に位置するように、上記流れ方向に対し傾斜している。
【００６３】
右側の第１シム３２は被連結側シムとされている。右側の第１シム３２の上端部は被連結側端部３２Ｔとされ、ここに被連結部９１が設けられている。被連結部９１は、突出部９２及び被係合部９３を備えている。突出部９２は、被連結側端部３２Ｔから上方へ突出している。被係合部９３は、突出部９２の右側の面において開口する凹部によって構成されている。
【００６４】
そして、突出部９２が、腕部８８と連結側端部３３Ｒとの間隙に対し、下流側から嵌合により入り込ませられている。この嵌合の際、下流端面８９Ａは突出部９２を上記間隙に導く。さらに、爪部８９が被係合部９３内に右方から入り込むことにより、爪部８９が被係合部９３に係合されている。
【００６５】
次に、右下の角部Ｃ４に設けられた主連結構造９５について説明する。図１１及び図１５に示すように、右下の角部Ｃ４では、右側の第１シム３２の下端部と、下側の第２シム３４の右端部とが主連結構造９５による連結の対象とされる。
【００６６】
下側の第２シム３４は連結側シムとされている。第２シム３４の右端部は連結側端部３４Ｒとされ、ここに連結部９６が設けられている。連結部９６は、延出部９７、腕部９８及び爪部９９を備えている。延出部９７は、連結側端部３４Ｒであって、下流端面から若干上流側へ離間した箇所から右方へ延びている。腕部９８は、連結側端部３４Ｒに対し右方へ離間した状態で、延出部９７の先端から下流側へ延びている。爪部９９は、腕部９８の下流端から、連結側端部３４Ｒに向けて突出している。爪部９９の下流端面９９Ａは、連結側端部３４Ｒに近づくに従い、上流側に位置するように、上記流れ方向に対し傾斜している。
【００６７】
右側の第１シム３２は被連結側シムとされている。第１シム３２の下端部は被連結側端部３２Ｂとされ、ここに被連結部１０１が設けられている。被連結部１０１は、突出部１０２及び被係合部１０３を備えている。突出部１０２は、被連結側端部３２Ｂから下方へ突出している。被係合部１０３は、突出部１０２の右側の面において開口する凹部によって構成されている。
【００６８】
そして、図１６に示すように、上記突出部１０２が、腕部９８と連結側端部３４Ｒとの間隙に対し、下流側から嵌合により入り込ませられている。この嵌合の際、下流端面９９Ａは突出部１０２を上記間隙に導く。さらに、爪部９９が被係合部１０３内に右方から入り込むことにより、爪部９９が被係合部１０３に係合されている。
【００６９】
図１１及び図１４に示すように、四角枠体３５における左下の角部Ｃ３に設けられた補助連結構造１０５は、左側の第１シム３１と下側の第２シム３４の端部同士を、同第１シム３１及び同第２シム３４の各長さ方向へ撓むのを規制した状態で連結するものである。
【００７０】
左下の角部Ｃ３では、左側の第１シム３１の下端部と、下側の第２シム３４の左端部とが補助連結構造１０５による連結の対象とされる。
補助連結構造１０５は、突片１０６及び嵌合部１０８を備えている。突片１０６は、左側の第１シム３１の下端部から下側の第２シム３４に向けて延びて、同第２シム３４の左端部に対し下流側から重なっている。嵌合部１０８は、第２シム３４の左端部から下流側へ突出する横長の突部によって構成されている。突片１０６には、被嵌合部として孔１０７が、上記流れ方向に貫通されている。孔１０７は、上記第２シム３４の左端部に面して開口している。そして、この孔１０７に嵌合部１０８が上流側から嵌合されている。
【００７１】
上記のようにして構成された風向き変更モジュール３０では、図１０及び図１１に示すように、第１シム３１，３２毎の複数の係止部３７が、隣接する第１壁部１３，１４の被係止部１７，１８に係止されている。また、各第２シム３３，３４の係止部４３，４４が、隣接する第２壁部１５，１６の被係止部２３に係止されている。さらに、両第１壁部１３，１４の係合突起１９が、対応する第１シム３１，３２の係合孔３９に対し上流側から係入されている。また、各第２壁部１５，１６の係合突起２４が、対応する第２シム３３，３４の係合孔４６に対し上流側から係入されている。上記係止及び係入により、風向き変更モジュール３０がリテーナ本体１２内の下流部に組付けられている。
【００７２】
＜シャットダンパ１１０＞
図４、図７及び図１０に示すように、シャットダンパ１１０は略矩形の平板状をなし、リテーナ本体１２内の上流フィン５６，５７よりも上流に配置されている。シャットダンパ１１０の左端部であって、上記流れ方向における中央部分には、ダンパ軸１１１が形成されている。また、右側の第１壁部１４の軸孔２１にはダンパ軸１１２が挿通されており、これがシャットダンパ１１０の右端部であって、上記流れ方向における中央部分に装着されている。このダンパ軸１１２は、右隣の空調用レジスタ１０におけるダンパ軸１１３と一体となっている。シャットダンパ１１０は、両ダンパ軸１１１，１１２により、両第１壁部１３，１４に支持されている。シャットダンパ１１０は、両ダンパ軸１１１，１１２を支点として、開位置と閉位置との間で傾動可能である。シャットダンパ１１０は、開位置では、両第２壁部１５，１６間の中央部分で、同両第２壁部１５，１６に対し平行又はそれに近い状態（図４の実線参照）となって、通風路２０を全開にする。シャットダンパ１１０は、閉位置では、両第２壁部１５，１６に対し傾斜した状態（図４の二点鎖線参照）となって、通風路２０を閉鎖する。
【００７３】
＜ダンパ駆動機構１１４＞
図３、図５及び図１０に示すように、ダンパ駆動機構１１４は、操作ダイヤル１１５及び回動伝達部１１６を備えている。操作ダイヤル１１５は、上記軸部２２により回動可能に支持されている。操作ダイヤル１１５にはシム１２０が装着されており、このシム１２０が軸部２２に弾性的に接触されている。この形態の接触により、操作ダイヤル１１５が回動操作されたときにシム１２０と軸部２２との間に摺動抵抗が発生し、適度な荷重が付与される。
【００７４】
回動伝達部１１６は、操作ダイヤル１１５の回動をダンパ軸１１２に伝達するためのものであり、リンク機構によって構成されている。すなわち、ダンパ軸１１２が、径方向外方へ突出する突出部１１７を有している。また、操作ダイヤル１１５も、径方向外方へ突出する突出部１１８を有している。両突出部１１７，１１８は、リンク部材１１９によって連結されている。
【００７５】
なお、上記操作ダイヤル１１５は、右隣の空調用レジスタ１０における操作ダイヤルを兼ねている。
上記のように構成された本実施形態の空調用レジスタ１０では、図４において二点鎖線で示すように、シャットダンパ１１０が閉位置にあるときには、通風路２０が同シャットダンパ１１０によって閉塞される。通風路２０での空調用空気Ａ１の流通が遮断され、吹出口２８からの空調用空気Ａ１の吹出しが停止される。
【００７６】
これに対し、図４において実線で示すように、シャットダンパ１１０が開位置にあるときには、各通風路２０が全開となり、空調用空気Ａ１がシャットダンパ１１０を境として、上下両側に分かれて流れる。シャットダンパ１１０を通過した空調用空気Ａ１は、通風路２０を上流から下流に向けて流れる。空調用空気Ａ１は、上流フィン５６，５７に沿って流れた後に下流フィン５１，５２に沿って流れ、吹出口２８から吹出される。
【００７７】
シャットダンパ１１０の閉位置から開位置への切替え、及び開位置から閉位置への切替えは、操作ダイヤル１１５の回動操作を通じて行なわれる。操作ダイヤル１１５が乗員によって回動操作されると、その回動は、回動伝達部１１６を介してダンパ軸１１２に伝達され、シャットダンパ１１０がダンパ軸１１１，１１２を支点として傾動させられる。
【００７８】
図４及び図５において、操作ノブ６５が下流フィン５１に沿って左方又は右方へスライド操作されると、その操作ノブ６５の動きがフォーク６８及び伝達軸部６１を通じて上流フィン５６に伝達される。上流フィン５６が両フィン軸５８を支点として操作ノブ６５のスライド方向と同方向へ傾動させられる。上流フィン５６の傾動は、リンク機構ＬＭ２を介して他の全ての上流フィン５７に伝達される。その結果、上流フィン５６に連動して、他の全ての上流フィン５７が両フィン軸５８を支点として上流フィン５６と同方向へ傾動させられる。空調用空気Ａ１は、傾動した上流フィン５６，５７によって流れ方向を変えられる。
【００７９】
一方、操作ノブ６５の下流端部に対し、上方又は下方へ向かう力が加えられると、その力が、操作ノブ６５の装着された下流フィン５１に伝達される。下流フィン５１がフィン軸５３を支点として傾動させられる。下流フィン５１の上記傾動は、リンク機構ＬＭ１を介して残りの全ての下流フィン５２に伝達される。その結果、操作ノブ６５を通じて操作された下流フィン５１に連動して、残りの全ての下流フィン５２がフィン軸５３を支点として、操作された下流フィン５１と同一方向へ傾動させられる。空調用空気Ａ１は、傾動した下流フィン５１，５２によって流れ方向を変えられる。
【００８０】
空調用空気Ａ１は、上流フィン５６，５７及び下流フィン５１，５２の各傾きに応じた方向へ流れて吹出口２８から吹出す。このようにして、上流フィン５６，５７及び下流フィン５１，５２の少なくとも一方が傾動されることにより、吹出口２８から吹出される空調用空気Ａ１の向きが変更される。
【００８１】
ここで、下流フィン５１，５２が傾動される際には、各フィン軸５３と軸孔３６の内壁面との間に摺動抵抗が生ずる。この摺動抵抗により、下流フィン５１，５２を傾動させる際の荷重（操作荷重）が作り出される。また、下流フィン５１，５２は、左方又は右方へ動いた場合には、第１シム３１，３２に当たる。両第１シム３１，３２は、第１壁部１３，１４よりも軟質の材料によって形成されている。そのため、下流フィン５１，５２が第１壁部１３，１４に直接当たる場合よりも、打音の発生が抑制される。
【００８２】
また、上流フィン５６，５７が傾動される際には、一対のフィン軸５８と軸孔４２の内壁面との間に摺動抵抗が生ずる。この摺動抵抗により、上流フィン５６，５７を傾動させる際の荷重（操作荷重）が作り出される。また、上流フィン５６，５７は、上方又は下方向へ動いた場合には、第２シム３３，３４に当たる。両第２シム３３，３４は、第２壁部１５，１６よりも軟質の材料によって形成されている。そのため、上流フィン５６，５７が第２壁部１５，１６に直接当たる場合よりも、打音の発生が抑制される。
【００８３】
次に、上記のように構成された本実施形態の空調用レジスタ１０の作用及び効果について説明する。
風向き変更モジュール３０のリテーナ本体１２への組付けは、例えば、次のようにして行なわれる。図１０及び図１１に示すように、風向き変更モジュール３０を、右側の第１シム３２が左側の第１シム３１よりも上流側に位置するように、上記流れ方向に対し傾斜させた状態で、リテーナ本体１２に対し、下流側から挿入する。右側の第１シム３２における係止部３７を、右側の第１壁部１４の被係止部１８（孔）に係入させ、その係入箇所を支点として、左側の第１シム３１が上流側へ移動するように、風向き変更モジュール３０の全体を回動させる。この回動が進むにつれて、左側の第１シム３１における係止部３７（図１７参照）が、左側の第１壁部１３の被係止部１７に近づくとともに、両第２シム３３，３４の係止部４３，４４がリテーナ本体１２内の下流部に入り込む。
【００８４】
各被係止部１７が、右側の面に加え下流端において開口している。そのため、上記のように風向き変更モジュール３０が回動されていくと、第１シム３１における係止部３７が被係止部１７に対し、下流端の開口部分から係入していく。また、上記回動に伴い、係止部４３，４４が被係止部２３を弾性変形させながらリテーナ本体１２内に入り込んでいき、孔に係入していく。さらに、各第１壁部１３，１４の係合突起１９が、対応する第１シム３１，３２の係合孔３９に嵌合される。また、各第２壁部１５，１６の係合突起２４が、対向する第２シム３３，３４の係合孔４６に嵌合される。すると、図１に示すように、風向き変更モジュール３０がリテーナ本体１２内の下流部に組付けられた状態となる。
【００８５】
ここで、図１及び図１１に示すように、一対の第１シム３１，３２と一対の第２シム３３，３４とを備える四角枠体３５は、４つの角部Ｃ１〜Ｃ４を有するところ、そのうちの３つの角部Ｃ１，Ｃ２，Ｃ４にはそれぞれ主連結構造７５，８５，９５が設けられ、１つの角部Ｃ３には補助連結構造１０５が設けられている。これらの主連結構造７５，８５，９５及び補助連結構造１０５によって、隣り合う第１シム３１，３２及び第２シム３３，３４の端部同士が連結されている。
【００８６】
すなわち、図１２及び図１９に示すように、四角枠体３５における左上の角部Ｃ１では、被連結部８１における突出部８２は、連結部７６における腕部７８と連結側端部３３Ｌとによって、左右両側から挟み込まれる。この挟み込みにより、第１シム３１及び第２シム３３の一方は他方に対し、左右方向へ撓むことを規制される。また、上記爪部７９が被係合部８３に係合されることにより、第１シム３１及び第２シム３３の一方は他方に対し、上下方向や空調用空気Ａ１の流れ方向へ撓むことを規制される。
【００８７】
図１１及び図１３に示すように、四角枠体３５における右上の角部Ｃ２では、被連結部９１における突出部９２は、連結部８６における腕部８８と連結側端部３３Ｒとによって、左右両側から挟み込まれる。この挟み込みにより、第１シム３２及び第２シム３３の一方は他方に対し、左右方向へ撓むことを規制される。また、上記爪部８９が被係合部９３に係合されることにより、第１シム３２及び第２シム３３の一方は他方に対し、上下方向や空調用空気Ａ１の流れ方向へ撓むことを規制される。
【００８８】
図１１、図１５及び図１６に示すように、四角枠体３５における右下の角部Ｃ４では、被連結部１０１における突出部１０２は、連結部９６における腕部９８と連結側端部３４Ｒとによって、左右両側から挟み込まれる。この挟み込みにより、第１シム３２及び第２シム３４の一方は他方に対し、左右方向へ撓むことを規制される。また、爪部９９が被係合部１０３に係合されることにより、第１シム３２及び第２シム３４の一方は他方に対し、上下方向や空調用空気Ａ１の流れ方向へ撓むことを規制される。
【００８９】
図１１及び図１４に示すように、四角枠体３５における左下の角部Ｃ３では、嵌合部１０８が突片１０６の孔１０７に嵌合されることにより、第１シム３１及び第２シム３４の一方が他方に対し、左右方向及び上下方向へ撓むことを規制される。ただし、第１シム３１及び第２シム３４の一方は他方に対し、空調用空気Ａ１の流れ方向へ撓むことは可能である。
【００９０】
従って、四角枠体３５は、３つの角部Ｃ１，Ｃ２，Ｃ４に加え、角部Ｃ３にも主連結構造が設けられる場合ほどではないものの、初期の形状を維持しやすい。そのため、風向き変更モジュール３０をリテーナ本体１２内に組付ける上記作業がしやすい。
【００９１】
風向き変更モジュール３０がリテーナ本体１２内に組付けられた状態では、各第１シム３１，３２の通風路２０から遠ざかる側には、第１壁部１３，１４が隣接して位置している。四角枠体３５は、第１壁部１３，１４に当接することにより、それ以上通風路２０から遠ざかる側へ撓むことを規制される（図１９参照）。
【００９２】
また、上記の状態では、各第２シム３３，３４の通風路２０から遠ざかる側には、第２壁部１５，１６が隣接して位置している。四角枠体３５は、第２壁部１５，１６に当接することにより、それ以上通風路２０から遠ざかる側へ撓むことを規制される。
【００９３】
また、四角枠体３５のうち、主連結構造７５，８５，９５及び補助連結構造１０５の設けられた角部Ｃ１〜Ｃ４では、隣り合う第１シム３１，３２及び第２シム３３，３４の端部同士が連結されている。そのため、隣り合う第１シム３１，３２の端部及び第２シム３３，３４の端部の一方又は双方は、他方の端部に近づく側（左側、右側、上側、下側）へ撓むことを規制される。これに伴い、各第１シム３１，３２の上下方向における中間部分が通風路２０側へ撓んだり、各第２シム３３，３４の左右方向における中間部分が通風路２０側へ撓んだりすることを規制される。
【００９４】
特に、四角枠体３５のうち主連結構造７５，８５，９５の設けられた角部Ｃ１，Ｃ２，Ｃ４では、上述したように、爪部７９，８９，９９が、被係合部８３，９３，１０３に係合される。この係合により、第１シム３１，３２及び第２シム３３，３４の一方が他方に対し、上下方向や空調用空気Ａ１の流れ方向へ撓むことを規制される。この規制により、互いに隣り合い、かつ主連結構造７５，８５，９５によって連結された第１シム３１，３２及び第２シム３３，３４は、いずれの方向にも分離することを規制される。
【００９５】
従って、一対の第１シム３１，３２及び一対の第２シム３３，３４のいずれもが撓みにくい。四角枠体３５が初期の形状を維持しやすい。四角枠体３５の係止部３７，４３，４４がリテーナ本体１２の被係止部１７，１８，２３に係止された状態は、維持されやすい。その結果、加飾パネル２５がリテーナ本体１２に組付けられる前の中間製品が搬送され、その中間製品に対し、積み降ろし等の際に衝撃等が加わっても、従来技術とは異なり、係止部３７，４３，４４が被係止部１７，１８，２３から外れにくい。両第１シム３１，３２及び両第２シム３３，３４がリテーナ本体１２から脱落するのを抑制することができる。
【００９６】
本実施形態によると、上記以外にも、次の効果が得られる。
・主連結構造７５，８５，９５の設けられていない角部Ｃ３に補助連結構造１０５が設けられている。
【００９７】
そのため、主連結構造７５，８５，９５が、四角枠体３５における３つの角部Ｃ１，Ｃ２，Ｃ４にのみ設けられ、角部Ｃ３に補助連結構造１０５が設けられない場合に比べ、両第１シム３１，３２及び両第２シム３３，３４の撓みをより規制することができる。四角枠体３５の初期の形状を維持しやすくし、係止部３７，４３，４４が被係止部１７，１８，２３に係止された状態を維持しやすくすることができる。両第１シム３１，３２及び両第２シム３３，３４がリテーナ本体１２から脱落するのをより一層抑制することができる。
【００９８】
・孔１０７を有する突片１０６と、嵌合部１０８といった簡単な構成でありながら、補助連結構造１０５を構成し、第１シム３１及び第２シム３４の一方が他方に対し、それらの長さ方向（左右方向及び上下方向）へ撓むのを規制することができる。
【００９９】
・両第１シム３１，３２、両第２シム３３，３４、上流フィン５６，５７、下流フィン５１，５２等によって風向き変更モジュール３０を構成し、これをリテーナ本体１２に組付けるようにしている。
【０１００】
そのため、風向き変更モジュール３０がリテーナ本体１２に組付けられる前に、操作ノブ６５を下流フィン５１に装着することができ、また、操作ノブ６５に支持されたフォーク６８によって上流フィン５６の伝達軸部６１を左右両側から挟み込むことができる。従って、上流フィン５６，５７が第２シム３３，３４によって支持されたものと、下流フィン５１，５２が第１シム３１，３２によって支持されたものとを別々にリテーナ本体１２に組付ける場合に比べて、操作ノブ６５及びフォーク６８の組付け作業が容易になる。
【０１０１】
なお、上記実施形態は、これを以下のように変更した変形例として実施することもできる。
・上流フィンとして、空調用空気Ａ１の流れ方向及び左右方向に延びるものが用いられ、下流フィンとして、空調用空気Ａ１の流れ方向及び上下方向に延びるものが用いられてもよい。
【０１０２】
・四角枠体３５の４つの角部Ｃ１〜Ｃ４のうちの３つの角部にのみ連結構造が設けられてもよい。
なお、３つの連結構造は、全てが主連結構造７５，８５，９５によって構成されてもよいし、全てが補助連結構造１０５によって構成されてもよい。また、３つの連結構造は、その一部が、補助連結構造１０５によって構成され、残部が主連結構造７５，８５，９５の少なくとも１つによって構成されてもよい。
【０１０３】
この場合、連結構造の設けられていない角部でも、隣り合う第１シム３１，３２の端部及び第２シム３３，３４の端部の一方又は双方は、他方の端部に近づく側へ移動することを規制される。これは、第１シム３１，３２において、一方の端部が連結構造によって連結されていなくても、他方の端部が連結構造によって第２シム３３，３４に連結されているからである。また、第２シム３３，３４において、一方の端部が連結構造によって連結されていなくても、他方の端部が連結構造によって第１シム３１，３２に連結されているからである。従って、四角枠体３５は初期の形状を維持しやすい。
【０１０４】
・主連結構造７５，８５，９５を構成する部材が、上記実施形態とは異なるものに変更されてもよい。
例えば、第１シム３１，３２が連結側シムとされ、第２シム３３，３４が被連結側シムとされてもよい。この場合には、第１シム３１，３２の端部が連結側端部とされ、同連結側端部に連結部（延出部、腕部、爪部）が設けられる。第２シム３３，３４の端部が被連結側端部とされ、同被連結側端部に突出部及び被係合部が設けられる。
【０１０５】
・上記実施形態において、補助連結構造１０５として、第２シム３３，３４に突片が設けられ、第１シム３１，３２に嵌合部が設けられてもよい。
・上記実施形態において、孔１０７に代えて凹部が被嵌合部とされてもよい。この場合、凹部としては、突片１０６において、嵌合部１０８の設けられた第２シム３４に面して開口するものが採用される。
【０１０６】
・係止部が、四角枠体３５における両第１シム３１，３２の外面にのみ設けられてもよいし、両第２シム３３，３４の外面にのみ設けられてもよい。
前者の場合、被係止部は両第１壁部１３，１４にのみ設けられ、後者の場合、被係止部は両第２壁部１５，１６にのみ設けられてもよい。
【０１０７】
・四角枠体３５においては、両第１シム３１，３２が互いに平行となるように配置されてもよいし、平行に近い状態となるように配置されてもよい。両第２シム３３，３４についても同様である。
【０１０８】
・補助連結構造１０５として、突片１０６が第２シム３４の上流側において重なるものが採用されてもよい。
・被係合部８３，９３，１０３が凹部に代えて、左右方向に貫通する孔によって構成されてもよい。
【０１０９】
＜適用箇所について＞
・上記空調用レジスタは、車室内においてインストルメントパネルとは異なる箇所に設けられる空調用レジスタにも適用可能である。
【０１１０】
・上記空調用レジスタは、空調装置から送られてきて室内に吹出す空調用空気の向きをフィンによって変更することのできるものであれば、車両に限らず広く適用可能である。
【符号の説明】
【０１１１】
１０…空調用レジスタ、１１…リテーナ、１２…リテーナ本体、１３，１４…第１壁部、１５，１６…第２壁部、１７，１８，２３…被係止部、２０…通風路、３１，３２…第１シム（被連結側シム）、３１Ｔ，３２Ｂ，３２Ｔ…被連結側端部、３３，３４…第２シム（連結側シム）、３３Ｌ，３３Ｒ，３４Ｒ…連結側端部、３５…四角枠体、３７，４３，４４…係止部、５１，５２…下流フィン、５３，５８…フィン軸、５６，５７…上流フィン、７５，８５，９５…主連結構造、７６，８６，９６…連結部、７７，８７，９７…延出部、７８，８８，９８…腕部、７９，８９，９９…爪部、８１，９１，１０１…被連結部、８２，９２，１０２…突出部、８３，９３，１０３…被係合部、１０５…補助連結構造、１０６…突片、１０７…孔（被嵌合部）、１０８…嵌合部、Ａ１…空調用空気、Ｃ１，Ｃ２，Ｃ３，Ｃ４…角部。
【図１】
2019014333.tif 000003
【図２】
2019014333.tif 000004
【図３】
2019014333.tif 000005
【図４】
2019014333.tif 000006
【図５】
2019014333.tif 000007
【図６】
2019014333.tif 000008
【図７】
2019014333.tif 000009
【図８】
2019014333.tif 000010
【図９】
2019014333.tif 000011
【図１０】
2019014333.tif 000012
【図１１】
2019014333.tif 000013
【図１２】
2019014333.tif 000014
【図１３】
2019014333.tif 000015
【図１４】
2019014333.tif 000016
【図１５】
2019014333.tif 000017
【図１６】
2019014333.tif 000018
【図１７】
2019014333.tif 000019
【図１８】
2019014333.tif 000020
【図１９】
2019014333.tif 000021
【図２０】
2019014333.tif 000022